(57)【特許請求の範囲】
【請求項１】
ＵＨＦ帯又はＶＨＦ帯のテレビジョン信号を中間周波信号に周波数変換する混合器と、前記中間周波信号を増幅する中間周波増幅器と、前記中間周波増幅器の後段に設けられた映像検波器とを備え、前記混合器と前記中間周波増幅器と前記映像検波器とを同一の集積回路内に構成し、前記集積回路には前記混合器の出力端子と前記中間周波増幅器の入力端子とを設け、前記入力端子と前記出力端子との間にＳＡＷフィルタを接続し、前記ＳＡＷフィルタを、隣接するチャンネルの映像中間周波信号と音声中間周波信号とを減衰するトラップを有する構成としたことを特徴とするテレビジョン信号の中間周波回路。
【請求項２】
前記トラップの減衰量を、４０ｄＢ以上としたことを特徴とする請求項１記載のテレビジョン信号の中間周波回路。
【請求項３】
前記中間周波増幅器と前記映像検波器とを直結したことを特徴とする請求項２記載のテレビジョン信号の中間周波回路。
【発明の詳細な説明】
【０００１】
【発明の属する技術分野】
本発明は、テレビジョン受信機あるいはビデオテ−プレコ−ダ等の映像機器におけるテレビジョン信号の中間周波回路に関する。
【０００２】
【従来の技術】
例えば、テレビジョン受信機における従来のテレビジョン信号の中間周波回路は図６に示すようなものであった。図６において、図示しない同調回路等で選択されたＵＨＦ帯またはＶＨＦ帯の特定チャンネルのテレビジョン信号が入力端２１ａから混合器２１に入力される。また、局部発振器２２からの局部発振信号もこの混合器２１に入力される。そして、混合器２１では入力されたＵＨＦ帯のテレビジョン信号あるいはＶＨＦ帯のテレビジョン信号が局部発振信号と混合されることによって中間周波帯のテレビジョン信号に周波数変換される。
【０００３】
ここで、中間周波帯のテレビジョン信号を単に中間周波信号という。混合器２１からの中間周波信号は、中間周波バンドパスフィルタである中間周波同調回路２３を経て中間周波増幅器２４に入力され、ここでおよそ３０ｄＢ増幅される。その後、インピ−ダンス整合回路２５、ＳＡＷフィルタ２６を介して映像検波器２７に入力される。そして、映像検波器２７から映像信号Ｖが出力される。
なお、混合器２１、中間周波同調回路２３および中間周波増幅器２４は平衡回路で構成されている。
【０００４】
ここで、中間周波同調回路２３は、図７に示すように互いに直列接続された二つのコイル等からなるインダクタ２３ａ、２３ｂとコンデンサ２３ｃとが並列接続された並列単同調回路で構成され、その伝送特性は図８に示すように色副搬送波Ｃのレベルと映像中間周波信号Ｐのレベルとがピ−クに対してほＢ１．５ｄＢ、また、音声中間周波信号Ｓのレベルが４ｄＢ減衰するように設定されている。従って、この中間周波同調回路２３の同調周波数は色副搬送波Ｃの周波数と映像中間周波信号Ｐの周波数とのほぼ中間の周波数に設定される。
【０００５】
また、ＳＡＷフィルタ２６は映像検波器２７からの映像信号Ｖの周波数特性を所定のものとするためのものであり、中間周波帯におけるピ−クレベルに対する色副搬送波Ｃのレベル、映像中間周波信号Ｐのレベル、音声中間周波信号Ｓのレベルがそれぞれ２．５ｄＢ、６ｄＢ、１８ｄＢとなるように設定されている。
さらに、インピ−ダンス整合回路２５は中間周波増幅器２４の出力インピ−ダンスとＳＡＷフィルタ２６の入力インピ−ダンスとを整合するたものものであり、図９に示すようにコイルからなるインダクタ２５ａとコンデンサ２５ｂとのＬ型回路で構成されている。そして、インダクタ２５ａとコンデンサ２５ｂとの直列共振周波数を色副搬送波Ｃの周波数と映像中間周波信号Ｐの周波数とのほぼ中間の周波数に設定している。
【０００６】
【発明が解決しようとする課題】
以上説明した従来のテレビジョン信号の中間周波回路では中間周波同調回路２３やインピ−ダンス整合回路２５を使用しているので、部品点数が多くなり、小型化を阻害するとともに価格低減が困難であった。
また、中間周波同調回路２３の同調周波数やインピ−ダンス整合回路の直列共振周波数を調整するための調整作業を必要としていた。
【０００７】
さらに、中間周波同調回路２３は単同調回路で構成しており、このために、急峻な伝送特性を得ることができず、受信する特定のチャンネルに隣接するチャンネルの映像中間周波信号や音声中間周波信号が比較的大きなレベルで中間周波増幅器２４に入力されることになる。このため、中間周波増幅器２４では特定チャンネルの中間周波信号を増幅する際に隣接チャンネルの映像中間周波信号や音声中間周波信号によって特定チャンネルの中間周波信号が妨害を受けて、検波された映像信号にノイズが現れる問題があった。
【０００８】
そこで、本発明のテレビジョン信号の中間周波回路では、このような問題を解決し、部品点数を少なくすると共に無調整化し、しかも、中間周波増幅器での隣接チャンネルのテレビジョン信号による妨害発生を低減しようとするものである。
【０００９】
【課題を解決するための手段】
上記課題を解決するため、本発明のテレビジョン信号の中間周波回路は、ＵＨＦ帯又はＶＨＦ帯のテレビジョン信号を中間周波信号に周波数変換する混合器と、前記中間周波信号を増幅する中間周波増幅器と、前記中間周波増幅器の後段に設けられた映像検波器とを備え、前記混合器と前記中間周波増幅器と前記映像検波器とを同一の集積回路内に構成し、前記集積回路には前記混合器の出力端子と前記中間周波増幅器の入力端子とを設け、前記入力端子と前記出力端子との間にＳＡＷフィルタを接続し、前記ＳＡＷフィルタを、隣接するチャンネルの映像中間周波信号と音声中間周波信号とを減衰するトラップを有する構成とした。
【００１０】
また、本発明のテレビジョン信号の中間周波回路は、前記トラップの減衰量を、４０ｄＢ以上とした。
【００１１】
また、本発明のテレビジョン信号の中間周波回路は、前記中間周波増幅器と前記映像検波器とを直結した。
【００１３】
【発明の実施の形態】
以下、図１乃至図５に従って本発明のテレビジョン信号の中間周波回路を説明する。先ず、図１は本発明のテレビジョン信号の中間周波回路のブロック構成図を示し、図示しない同調回路等によって選択されたＵＨＦ帯またはＶＨＦ帯の特定チャンネルのテレビジョン信号が入力端１ａから混合器１に入力される。また、局部発振器２からの局部発振信号もこの混合器１に入力される。そして、混合器１では入力されたＵＨＦ帯のテレビジョン信号あるいはＶＨＦ帯のテレビジョン信号が局部発振信号と混合されることによって中間周波帯のテレビジョン信号に周波数変換される。ここで、中間周波帯のテレビジョン信号を単に中間周波信号という。混合器１からの中間周波信号は、中間周波バンドパスフィルタであるＳＡＷ（表面弾性波）フィルタ３を経て中間周波増幅器４に入力される。中間周波増幅器４に入力された中間周波信号は、およそ３０ｄＢ増幅された後、同期検波回路を有する映像検波器５で検波され、映像検波器５から映像信号Ｖが出力される。
【００１４】
ここで、混合器１の出力端から映像検波器５の入力端までは平衡回路で構成されている。図２は混合器１と中間周波増幅器４との間に接続されるＳＡＷフィルタ３を示す。即ち、ＳＡＷフィルタ３の入力端３ａ、３ｂは、コンデンサ６、６を介して混合器１の出力端１ｂ、１ｃに接続され、また、ＳＡＷフィルタ３の出力端３ｃ、３ｄはコンデンサ７、７を介して中間周波増幅器４の入力端４ａ、４ｂに接続されている。また、図３は図２に示すＳＡＷフィルタ３の中間周波帯における伝送特性を示す図である。このＳＡＷフィルタ３は、伝送特性のピ−クレベルに対する色副搬送波Ｃのレベルがほぼ２．５ｄＢ、映像中間周波信号Ｐのレベルがほぼ６ｄＢ程度減衰し、また音声中間周波信号Ｓのレベルがほぼ１８ｄＢ程度減衰するようになっている。さらに、受信した特定チャンネルよりも周波数が高い隣接チャンネルにおける映像中間周波信号（Ｐ＋１）の周波数と、この特定チャンネルよりも周波数が低い隣接チャンネルにおける音声中間周波信号（Ｓ−１）の周波数とにトラップが与えられており、このトラップの減衰量がピ−クレベルに対して４０ｄＢ以上となっている。
【００１５】
このように、ＳＡＷフィルタ３には、隣接チャンネルにおける映像中間周波信号（Ｐ＋１）の周波数と、この特定チャンネルよりも周波数が低い隣接チャンネルにおける音声中間周波信号（Ｓ−１）の周波数とにトラップが与えられているため、中間周波増幅器４に入力される隣接チャンネルの映像中間周波信号（Ｐ＋１）のレベルと音声中間周波信号（Ｓ−１）のレベルとは低いものとなり、特定チャンネルの中間周波信号をこの中間周波増幅器４で増幅する際に、中間周波増幅器４の増幅度が大きいにもかかわらず、特定の中間周波信号が隣接チャンネルの映像中間周波信号（Ｐ＋１）あるいは音声中間周波信号（Ｓ−１）によって妨害を受けることがなくなる。
【００１６】
また、混合器１と中間周波増幅器４との間に設けたＳＡＷフィルタ３によって中間周波帯の周波数特性、例えば、ピ−クレベルに対する色副搬送波Ｃ、映像中間周波信号Ｐ、音声中間周波信号Ｓのレベルが所定の値に設定されているので、映像検波回路５で映像検波したちきの映像特性を図４に示すようにほぼ３．６ＭＨｚまで平坦にし、且つ、３．６ＭＨｚから４．２ＭＨｚまで漸次減少する特性とすることができる。
【００１７】
また、トラップ周波数での減衰量が４０ｄＢ以上となっているので、中間周波増幅器４における妨害発生が押さえられるだけでなく、中間周波増幅器４と映像検波器５との間には、従来設けていたＳＡＷフィルタ２６やインピ−ダンス整合回路２５が不必要となり、中間周波回路を簡素化できる。即ち、図５に示すように、混合器１、中間周波増幅器４、映像検波器５を一つの集積回路８で構成し、この集積回路８に混合器１の出力端子１ｂ、１ｃおよび中間周波増幅器４の入力端子４ａ、４ｂを設けておけば、ＳＡＷフィルタ３を簡単に接続できる。よって、集積回路８とＳＡＷフィルタ３のみで中間周波回路を簡単に構成できる。
また、中間周波増幅器４と映像検波器５と直結可能となり集積回路８の構成も簡単になる。
【００１８】
【発明の効果】
以上のように、本発明のテレビジョン信号の中間周波回路は、前記混合器と前記中間周波増幅器と前記映像検波器とを同一の集積回路内に構成し、前記集積回路には前記混合器の出力端子と前記中間周波増幅器の入力端子とを設け、前記入力端子と前記出力端子との間にＳＡＷフィルタを接続し、前記ＳＡＷフィルタを、隣接するチャンネルの映像中間周波信号と音声中間周波信号とを減衰するトラップを有する構成としたので、中間周波増幅器における、隣接チャンネルの映像中間周波信号及び音声中間周波信号による妨害発生を押さえた中間周波回路をＳＡＷフィルタと集積回路のみで簡単に構成できる。
【００１９】
また、本発明のテレビジョン信号の中間周波回路は、トラップの減衰量を、４０ｄＢ以上としたので、中間周波増幅器と映像検波器との間には、従来設けていたＳＡＷフィルタやインピ−ダンス整合回路が不必要となり、部品点数を削減し中間周波回路が簡素になる。
【００２０】
また、本発明のテレビジョン信号の中間周波回路は、中間周波増幅器と映像検波器とを直結したので、集積回路が簡素になるとともに伝送損失も少なくなる。
【図面の簡単な説明】
【図１】本発明のテレビジョン信号の中間周波回路のブロック構成図である。
【図２】本発明のテレビジョン信号の中間周波回路にけるＳＡＷフィルタの説明図である。
【図３】本発明のテレビジョン信号の中間周波回路にけるＳＡＷフィルタの特性図である。
【図４】本発明のテレビジョン信号の中間周波回路にける映像信号の特性の説明図である
【図５】本発明のテレビジョン信号の中間周波回路にける集積回路のブロック構成図である。
【図６】従来のテレビジョン信号の中間周波回路のブロック構成図である。
【図７】従来のテレビジョン信号の中間周波回路における中間周波同調回路の回路図である。
【図８】従来のテレビジョン信号の中間周波回路における中間周波同調回路の特性図である。
【図９】従来のテレビジョン信号の中間周波回路におけるインピ−ダンス整合回路の回路図である。
【符号の説明】
１  混合器
１ａ  入力端
２  局部発振器
３  ＳＡＷフィルタ
４  中間周波増幅器
５  映像復調器
６、７、  コンデンサ
８  集積回路
【図１】
0003607053.tif 000002
【図２】
0003607053.tif 000003
【図３】
0003607053.tif 000004
【図４】
0003607053.tif 000005
【図５】
0003607053.tif 000006
【図６】
0003607053.tif 000007
【図７】
0003607053.tif 000008
【図８】
0003607053.tif 000009
【図９】
0003607053.tif 000010